(57)【要約】【課題】メタデータの提供装置およびその方法、並びに映像メタデータの色温度変換装置およびその方法を提供する。【解決手段】所定の映像信号を入力され、前記映像信号から色温度情報を求める色温度計算部１１０と、前記色温度情報を提供され、前記色温度情報をメタデータに変換してメタデータのデータベースに貯蔵するメタデータ生成部１２０、およびユーザ端末から前記映像信号の送信要請があれば、前記映像信号と共に前記メタデータを所定の通信網を介して前記ユーザ端末に送る映像メタデータ送信部を備える映像メタデータ提供装置。これにより、ユーザ端末における色温度の計算が不要になるので、ユーザ端末装置のコスト低下に寄与することができ、求められた色温度値をデータベースに貯蔵しておき、これを継続して用いることもできる。【選択図】　　　図１
2004007535.tif 000002
【特許請求の範囲】
【請求項１】
所定の映像信号を入力され、前記映像信号から色温度情報を求める色温度計算部と、
前記色温度情報を入力され、前記色温度情報をメタデータに変換してメタデータのデータベースに貯蔵するメタデータ生成部と、
ユーザ端末から前記映像信号の送信要請があれば、前記映像信号と共に前記メタデータを所定の通信網を介して前記ユーザ端末に送る映像メタデータ送信部と、
を備えることを特徴とする映像メタデータの提供装置。
【請求項２】
前記メタデータ生成部は、
前記色温度情報を実数、整数、または所定の意味を有する符号化データによって表わすことにより、前記色温度情報に、その該当する色温度範囲の代表色温度を含ませることを特徴とする請求項１に記載の映像メタデータの提供装置。
【請求項３】
前記メタデータ生成部は、
前記メタデータ及びそれに対応する入力映像を関連付けて貯蔵することを特徴とする請求項１に記載の映像メタデータの提供装置。
【請求項４】
所定の入力映像、前記入力映像の色温度に対応するメタデータ及びユーザの好みの色温度情報を入力される入力部と、
前記メタデータからそれに対応する色温度を求める映像メタデータデコーディング部と、
前記メタデータから求められた色温度及び前記ユーザの好みの色温度情報に基づき前記入力映像の色温度を変換する映像色温度変換部と、
を備えることを特徴とする映像メタデータの色温度変換装置。
【請求項５】
前記色温度の変換された入力映像を出力してユーザに与える映像ディスプレイ部をさらに備えることを特徴とする請求項４に記載の映像メタデータの色温度変換装置。
【請求項６】
前記映像メタデータデコーディング部は、
前記メタデータとして符号化された前記入力映像の色温度を求める機能を行い、前記メタデータの符号化方法に対応する方法によって復号化を行うことを特徴とする請求項４に記載の映像メタデータの色温度変換装置。
【請求項７】
前記映像メタデータデコーディング部は、
前記メタデータの該当する色温度範囲の代表色温度、及びその各々に対応するメタデータを貯蔵している所定の参照テーブルを備え、入力されたメタデータを検索キーとして前記参照テーブルに貯蔵されている前記メタデータに対応する色温度値を求めることを特徴とする請求項４に記載の映像メタデータの色温度変換装置。
【請求項８】
所定の映像信号を入力され、前記映像信号から色温度情報を求める段階と、
前記色温度情報を入力され、前記色温度情報をメタデータに変換してメタデータのデータベースに貯蔵する段階と、
ユーザ端末から前記映像信号の送信要請があれば、前記映像信号と共に前記メタデータを所定の通信網を介して前記ユーザ端末に送る段階と、を含むことを特徴とする映像メタデータの提供方法。
【請求項９】
所定の入力映像、前記入力映像の色温度に対応するメタデータ及びユーザの好みの色温度情報を入力される段階と、
前記メタデータからそれに対応する色温度を求める段階と、
前記メタデータから求められた色温度及び前記ユーザの好みの色温度情報に基づき前記入力映像の色温度を変換する段階と、
を含むことを特徴とする映像メタデータの色温度変換方法。
【請求項１０】
前記色温度の変換された入力映像を出力してユーザに提供する段階をさらに含むことを特徴とする請求項９に記載の映像メタデータの色温度変換方法。
【請求項１１】
請求項８から請求項１０のうち何れか１項に記載の方法をコンピュータにて実行するためのプログラムを記録したコンピュータにて読み取り可能な記録媒体。
【発明の詳細な説明】
【０００１】
【発明の属する技術分野】
本発明は、ディスプレイされる出力映像の色温度をユーザの好みに応じて調節する方法及び装置に係り、特に、映像メタデータの提供装置及びその方法、並びに映像メタデータの色温度変換装置及びその方法に関する。
【０００２】
【従来の技術】
従来、ユーザ、すなわち映像コンテンツの消費者に提供される映像の色温度は、ユーザの端末での前記映像の色温度を計算することにより、調節していた。なお、映像の映像の色温度を計算する方法は、従来公知の方法を用いるものとする（例えば、特許文献１〜３参照）。
【０００３】
しかしながら、そのような従来の方法では、前記ユーザの端末は、色温度の計算能力を有するように製造しなければならず、そのコスト低減には困難があった。さらに、計算済みの映像の色温度をメタデータとしてデータベースに貯蔵して、再びそれを用いることも困難であった。
【０００４】
【特許文献１】
特願平１０−１１８８６２号公報
【特許文献２】
大韓民国特許第２３７２８４号公報
【特許文献３】
大韓民国特許第２３０４４６号公報
【０００５】
【発明が解決しようとする課題】
本発明が解決しようとする技術的な課題は、所定の入力映像の色温度に対応する映像メタデータを提供する装置及びその方法を提供するところにある。
【０００６】
本発明が解決しようとする他の技術的な課題は、前記映像メタデータを所定の色温度に変換する装置及びその方法を提供するところにある。
【０００７】
【課題を解決するための手段】
本発明は、前記目的を達成するために創案されたものであり、まず、請求項１に記載の映像メタデータの提供装置は、所定の映像信号を入力され、前記映像信号から色温度情報を求める色温度計算部と、前記色温度情報を入力され、前記色温度情報をメタデータに変換してメタデータのデータベースに貯蔵するメタデータ生成部と、ユーザ端末から前記映像信号の送信要請があれば、前記映像信号と共に前記メタデータを所定の通信網を介して前記ユーザ端末に送る映像メタデータ送信部とを備える。
【０００８】
請求項２に記載のメタデータ生成部は、請求項１に記載の映像メタデータの提供装置において、前記色温度情報を実数、整数、または所定の意味を有する符号化データによって表わすことにより、前記色温度情報に、その該当する色温度範囲の代表色温度を含ませることが望ましい。
【０００９】
請求項３に記載のメタデータ生成部は、請求項１に記載の映像メタデータの提供装置において、前記メタデータ及びそれに対応する入力映像を関連付けて貯蔵することが望ましい。
【００１０】
請求項４に記載の映像メタデータの色温度変換装置は、所定の入力映像、前記入力映像の色温度に対応するメタデータ及びユーザの好みの色温度情報を入力される入力部と、前記メタデータからそれに対応する色温度を求める映像メタデータデコーディング部と、前記メタデータから求められた色温度及び前記ユーザの好みの色温度情報に基づき前記入力映像の色温度を変換する映像色温度変換部とを備える。
【００１１】
請求項５に記載の映像メタデータの色温度変換装置は、請求項４に記載の映像メタデータの色温度変換装置において、前記色温度の変換された入力映像を出力してユーザに与える映像ディスプレイ部をさらに備えることが望ましい。
【００１２】
請求項６に記載の映像メタデータデコーディング部は、請求項４に記載の映像メタデータの色温度変換装置において、前記メタデータとして符号化された前記入力映像の色温度を求める機能を行い、前記メタデータの符号化方法に対応する方法によって復号化を行うことが望ましい。
【００１３】
請求項７に記載の映像メタデータデコーディング部は、請求項４に記載の映像メタデータの色温度変換装置において、前記メタデータの該当する色温度範囲の代表色温度、及びその各々に対応するメタデータを貯蔵している所定の参照テーブルを備え、入力されたメタデータを検索キーとして前記参照テーブルに貯蔵されている前記メタデータに対応する色温度値を求めることが望ましい。
【００１４】
請求項８に記載の映像メタデータの提供方法は、所定の映像信号を入力され、前記映像信号から色温度情報を求める段階と、前記色温度情報を入力され、前記色温度情報をメタデータに変換してメタデータのデータベースに貯蔵する段階と、ユーザ端末から前記映像信号の送信要請があれば、前記映像信号と共に前記メタデータを所定の通信網を介して前記ユーザ端末に送る段階とを含む。
【００１５】
請求項９に記載の映像メタデータの色温度変換方法は、所定の入力映像、前記入力映像の色温度に対応するメタデータ及びユーザの好みの色温度情報を入力される段階と、前記メタデータからそれに対応する色温度を求める段階と、前記メタデータから求められた色温度及び前記ユーザの好みの色温度情報に基づき前記入力映像の色温度を変換する段階とを含む。
【００１６】
請求項１０に記載の映像メタデータの色温度変換方法は、請求項９に記載の映像メタデータの色温度変換方法において、前記色温度の変換された入力映像を出力してユーザに提供する段階をさらに含むことが望ましい。
【００１７】
請求項１１に記載のコンピュータにて読み取り可能な記録媒体は、請求項８から請求項１０のうち何れか１項に記載の方法をコンピュータにて実行するためのプログラムを記録したものである。
【００１８】
【発明の実施の形態】
以下、添付した図面に基づき、本発明の実施の形態について、図面を参照して説明する。
【００１９】
図１は、本発明に係る一実施の形態として、映像メタデータの提供装置及び映像メタデータの色温度変換装置の概要を模式的に示す構成図である。前記映像メタデータの提供装置の主要部は、映像入力部１００と、色温度計算部１１０と、映像メタデータ生成部１２０と、メタデータ生成部１３０とを備えて構成される。また、前記映像メタデータの色温度変換装置の主要部は、映像メタデータデコーディング部２００と、映像色温度変換部２１０と、映像ディスプレイ部２２０とを備えて構成される。
【００２０】
図１に示すように、映像入力部１００の入力映像は、映像データベースの静止映像、及び動映像を構成する静止映像を含む。そのような静止映像は、動映像の代表映像を意味することもある。
【００２１】
色温度計算部１１０は、映像入力部から入力する映像をＣＩＥのＸＹＺ色空間に変換して光源の色座標（ｘ、ｙ）を近似する。次に、色温度計算部１１０は、前記色座標（ｘ、ｙ）を相関色温度に変換する。この相関色温度が、映像を代表する記述子として働く。映像の色座標を求める方法については、前記した特許文献１〜３に開示されている。
【００２２】
映像メタデータ生成部１２０は、入力映像の色温度をメタデータに変換するものである。ここで、前記メタデータは、映像を簡略に表わすデータであり、メタデータのデータベースに貯蔵されている入力映像に対応する色温度メタデータがユーザに送信される。一例として、１６６７Ｋから２５０００Ｋまでの色温度は１５ビットにより表わすことができる。
【００２３】
メタデータを生成する他の方法は、下記の通りである。色温度を用いれば、観察者の映像についての感じ、すなわち、暖かみを用いた分類が可能となる。すなわち、映像が与える暖かみの度合いを一定の色温度範囲にマッピングすることにより、１枚以上の映像感じの分類、例えば、ホット、ウォーム、普通、クールなどへの分類が可能である。例えば、ホットは２２５０Ｋ以下、ウォームは２２５１Ｋから４１７０Ｋまで、普通は４１７１Ｋから８０６０Ｋまで、クールは８０６１Ｋ以上の色温度にマッピングすることができる。このような４種類の分類を映像についてのメタデータとして表わせば、各映像は２ビットの表現だけでも分類することができる。一例として、「００」はホットな映像を、「０１」はウォームな映像を、「１０」は普通の映像を、「１１」はクールな映像を表わすものとする。前記分類別の色温度範囲はさらにレシプロカル（Ｒｅｃｉｐｒｏｃａｌ）色温度の範囲に変えた後、前記レシプロカル色温度の各範囲は、量子化によりさらに細かく均等に分割される。レシプロカル色温度（ＲＣ）は、色温度（Ｃ）を用いて、ＲＣ＝１０６／Ｃ、で計算される。レシプロカル色温度スケールを用いる理由は、レシプロカル色温度における違いは視覚の差と一致するからである。
【００２４】
色温度の範囲をレシプロカル色温度の範囲に変えた後、これをさらにＮ個の範囲に分ける。これは、Ｕｐｐｅｒ（ｌｎ（Ｎ））ビット、により表わすことができる。ここで、Ｕｐｐｅｒ（Ｘ）は、Ｘを越える自然数のうち最も小さい自然数である（例えば、Ｕｐｐｅｒ（２．１）＝３）。このようにＭ個の分類をさらにＮ個の分類範囲に分ければ、全部で、Ｕｐｐｅｒ（ｌｎ（Ｍ））＋Ｕｐｐｅｒ（ｌｎ（Ｎ））個のビットにより表わすことができる。例えば、色温度分類が４個であり（Ｍ＝４）、各色温度分類区間の従属区間が６４（Ｎ＝６４）個であれば、Ｕｐｐｅｒ（ｌｎ（４））＋Ｕｐｐｅｒ（ｌｎ（６４））は、２＋６、すなわち８ビットにより表わすことができる。
【００２５】
映像メタデータのデータベースは、入力静止映像、動映像の構成映像、あるいは動映像ショットの代表映像、で構成される色温度メタデータの集合である。
【００２６】
映像メタデータデコーディング部２００は、送信された映像メタデータを復号化させて入力映像の色温度を求める。メタデータのフォーマットに応じてその復号化方式が変わる。仮に、メタデータが入力映像の色温度をそのまま表わしたならば、例えば、１６６７Ｋ〜２５０００Ｋの範囲内の色温度を１５ビットにより表わすことで、符号化した２進数を１０進数に変える過程のみが必要である。
【００２７】
一方、色温度計算部１１０において求められた入力映像の色温度が映像メタデータ生成部１２０を経て量子化されたならば、映像メタデータデコーディング部２００に入力する色温度メタデータを所定色温度範囲に変え、前記所定色温度範囲を代表する一つの色温度を求めるようになる。一例として、ある色温度範囲を代表する色温度は、前記色温度範囲の平均値として指定することができる。
【００２８】
次の実施の形態では、映像メタデータ生成部１２０において８ビットに量子化された２進数（例えば、０００００００１）を対応する色温度範囲に変えた後、さらにその代表色温度を抽出することができる。以下において、その方法を説明する。
【００２９】
（１）まず、該当する色温度領域を把握するために、前記した８ビットの２進数の最初の２ビットを復号化させる（例えば、００：ｈｏｔ→［１６６７Ｋ、２２５０Ｋ］、Ｔｌｂ＝１６６７、Ｔｕｂ＝２２５０）。
（２）前記色温度領域の最大値及び最小値を、レシプロカル・メガケルビン・スケールに変える（ＲＴｌｂ＝１０６／Ｔｌｂ、ＲＴｕｂ＝１０６／Ｔｕｂ（すなわち、ＲＴｌｂ＝１０６／１６６７＝５９９．８８、ＲＴｕｂ＝１０６／２２５０＝４４４．４４４）。
（３）レシプロカル・メガケルビン・スケール上において、該当する色温度範囲［５９９．８８、　４４４．４４４］を均等な６４個の副領域に量子化させる。
（４）前記した８ビットの２進数の残りの６ビット（すなわち、０００００００１のうちの０００００１→２番目の副領域）を復号化させ、それに対応する色範囲（すなわち、［５９７．０１４９、５９５．０２２７］）を見つけて平均色温度（（５９７．０１４９＋５９５．０２２７）／２＝５９６．０１８８）を求め、それをその範囲の代表色温度として、前記した８ビットの２進数に対応する色温度とする（すなわち、１０６／５９６．０１８８１６７８Ｋ）。
【００３０】
さらに、他の実施の形態として、前記（１）から（４）までの過程によりあらかじめ参照テーブル（ｌｏｏｋ−ｕｐ　ｔａｂｌｅ）を作成し、入力する８ビットのメタデータをアドレスとして該当色温度を前記参照テーブルから得る参照テーブル方式によりデコーディング部を構成しても良い。この場合、テーブルデータを貯蔵する空間が必要とされるのに対し、計算のためのハードウェアなしに代表色温度を高速に抽出できるという長所がある。
【００３１】
映像色温度変換部２１０は、入力映像、その入力映像の色温度、及びユーザの好みの色温度に基づいて、目標色温度を求め、この求められた目標色温度及び前記入力映像を用いて、ユーザの好みの色温度に適するように前記入力映像を変換する。映像ディスプレイ部２２０は、変換された前記入力映像をユーザに対してディスプレイする。
【００３２】
一方、以上説明したとおりの本発明の実施の形態は、コンピュータで実行可能なプログラムにより記述することができ、コンピュータにて読取り可能な記録媒体を用いて前記プログラムを動作させる汎用のデジタルコンピュータにより具現することができる。
【００３３】
前記コンピュータにて読取り可能な記録媒体としては、磁気記憶媒体（例えば、ＲＯＭ、フレキシブルディスク、ハードディスクなど）、光学的に読み書きできる媒体（例えば、ＣＤ−ＲＯＭ、ＤＶＤなど）及び搬送波（例えば、インターネットを介した伝送）などの記憶媒体を含む。
【００３４】
以上、本発明に係る一実施の形態を説明したが、本発明が属する技術分野において通常の知識を有する者であれば、本発明の意図と目的から逸脱することなく、種々の実施の形態へと変更できるということが理解できるであろう。従って、開示された実施の形態は、それに限定されるという観点ではなく、それを説明するという観点から考慮されるべきである。本発明の目的は、これまでに記した説明だけではなく、特許請求の範囲に開示されており、それと同等な範囲内にあるあらゆる差異は、本発明に含まれるものとして解釈すべきである。
【００３５】
【発明の効果】
以上説明したとおり、本発明に係る映像メタデータの提供装置及びその方法、並びに映像メタデータの色温度変換装置及びその方法によれば、コンテンツプロバイダ側における、計算量の多い色温度計算過程をコンテンツの製作中にあらかじめ行い、少容量のメタデータをコンテンツ（映像データ）と共に送ることができる。それにより、コンテンツの消費者側が色温度計算のためのさらなる計算能力を持つ必要がなくなり、消費者への表示装置の低コスト化が可能となる。また、普通のテレビジョンやパーソナルコンピュータよりも計算能力に劣る携帯用端末において、ユーザが映像を調整することが可能になる。さらに、既に計算してメタデータとしてデータベースに入っている映像の色温度の情報を再利用することも可能である。
【図面の簡単な説明】
【図１】本発明に係る一実施の形態として、本発明に係る一実施の形態として、映像メタデータの提供装置及び映像メタデータの色温度変換装置を模式的に示す構成図である。
【図１】
2004007535.tif 000003